(57)【要約】【課題】間仕切り壁用の支柱の設置ないし解体の作業を誰でも簡単に行うことができる新規な技術を提供する。【解決手段】長手方向断面で２分割された主部２０とカバー３０とからなり、これらを相対的に水平方向に近付ける方向にスライド移動させることにより接合されて支柱１０が形成され、該接合状態において、支柱の上端および下端に、それぞれ天井側支持材３および床側支持材５の突起３ａ，５ａを取り囲んで収容する支持材収容部１５が形成される。支柱間のパネル７もスライド移動により設置することができるので、重い支柱やパネルを持ち運ぶ必要がない。主部２０および／またはカバー３０に挟持片２７，３３を形成することにより、パネル設置の際の位置決めおよび固定作業を容易に行うことができる。【選択図】図２
2020101018.tif 000002
【特許請求の範囲】
【請求項１】
天井に固定される天井側支持材と、床に固定される床側支持材と、天井側支持材と床側支持材との間に立設される支柱と、支柱同士の間に設置されるパネルとを有して構成される間仕切り壁における支柱であって、
長手方向断面で２分割された第一部材と第二部材とからなり、これら第一部材と第二部材を相対的に近付ける方向にスライド移動させることにより接合されて支柱が形成され、
第一部材と第二部材とが接合されたときに、支柱の上端および下端に、それぞれ前記天井側支持材および前記床側支持材の少なくとも一部を取り囲んで収容する支持材収容部が形成されることを特徴とする間仕切り壁用の支柱。
【請求項２】
前記第一部材および／または前記第二部材に、縦枠が固定される枠取付部が形成されることを特徴とする、請求項１記載の間仕切り壁用の支柱。
【請求項３】
前記第一部材および／または前記第二部材の少なくとも一側面に、パネルの端部の一側面に略当接する当接片が一方向に延長形成されることを特徴とする、請求項１または２記載の間仕切り壁用の支柱。
【請求項４】
前記第一部材および／または前記第二部材の少なくとも一側面に、パネルの端部を両側から略挟持する挟持片が両方向に延長形成されることを特徴とする、請求項１または２記載の間仕切り壁用の支柱。
【請求項５】
前記第一部材の一側面に第一の挟持片が一方向に延長形成されると共に、第一部材の前記一側面に対向する前記第二部材の一側面に第二の挟持片が前記第一の挟持片と同方向に延長形成され、これら第一および第二の挟持片の間にパネルの端部を両側から略挟持されることを特徴とする、請求項１または２記載の間仕切り壁用の支柱。
【請求項６】
請求項１ないし５のいずれか記載の支柱を用いてなる間仕切り壁。
【請求項７】
請求項１ないし５のいずれか記載の支柱を用いた間仕切り壁の施工方法であって、天井と床にそれぞれ天井側支持材と床側支持材を取り付け、天井側支持材と床側支持材に対して前記第一部材および前記第二部材のいずれか一方の部材をスライド移動させて仮設置し、他方の部材をスライド移動させて前記一方の部材に接合して支柱を形成した後、パネルをスライド移動させて支柱の側面に突き当てることを特徴とする、間仕切り壁の施工方法。
【請求項８】
請求項１ないし５のいずれか記載の支柱を用いた間仕切り壁の施工方法であって、天井と床にそれぞれ天井側支持材と床側支持材を取り付け、天井側支持材と床側支持材に対して前記第一部材および前記第二部材のいずれか一方の部材をスライド移動させて仮設置し、パネルをスライド移動させて前記一方の部材に突き当てた後、他方の部材を前記一方の部材に接合して支柱を形成することを特徴とする、間仕切り壁の施工方法。
【請求項９】
請求項１ないし５のいずれか記載の支柱を用いた間仕切り壁の施工方法であって、一のパネルの両端に位置する２つの支柱の設置箇所にそれぞれ前記第一部材および前記第二部材のいずれか一方の部材を仮設置し、これら２つの支柱の間にパネルをスライド移動させて仮設置した後、各支柱の他方の部材をスライド移動させて前記一方の部材に接合して各支柱を形成すると共にパネルをこれら２つの支柱の間に固定することを特徴とする、間仕切り壁の施工方法。
【発明の詳細な説明】
【技術分野】
【０００１】
本発明は、間仕切り壁用の支柱、間仕切り壁および間仕切り壁の施工方法に関する。
【背景技術】
【０００２】
近年、中古のアパートやマンションなどの中古住宅のリノベーションないしリフォームが注目されており、今後の中古住宅市場の拡大によってリノベーションやリフォームの需要増が見込まれるが、一方では、熟練した大工の不足が深刻化し、大工の技能低下や大工不足による女性作業員の増加などが予測されることから、大工作業に不慣れな女性や初心者でも簡単に施工可能な新規技術の開発が急務とされている。
【０００３】
特許文献１には、間仕切りパネルを接合する柱が支柱本体１と分割支柱２とからなり、これらの長手方向全長に亘って挟持部１４，１７が形成されたものが記載されている。支柱本体１と分割支柱２とをネジ４で一体化したときに、これらの挟持部１４，１７の間に間仕切りパネルの端部を挟み込んだ状態で間仕切りパネルが施工される。
【先行技術文献】
【特許文献】
【０００４】
【特許文献１】実願平１−１０３０８９号（実開平３−０４６６１１号）のマイクロフィルム
【発明の概要】
【発明が解決しようとする課題】
【０００５】
特許文献１には、支柱本体１と分割支柱２とに分割された支柱構造が記載されているが、その目的とするところは、挟持部１４，１７間に間仕切りパネルの端部を挟持するための構造を与えることであり、支柱を簡易作業で設置する目的やそのための具体的手段については何ら記載も示唆もされていない。特許文献１に記載される支柱本体１は天レールと地レールとの間に垂設されるが、いずれの側面も開口していないので、水平方向にスライドさせて天レールと地レールの接合を行うことができず、重い天レール／地レールを持ち運んで作業しなければならない。したがって、この従来技術を、本発明の前記目的に適う技術としてリノベーションやリフォームに対応させることはできない。
【０００６】
したがって、本発明が解決しようとする課題は、間仕切り壁用の支柱の設置ないし解体の作業を誰でも簡単に行うことができる新規な技術を提供し、中古住宅のリノベーションやリフォームへの需要増に対して有意に応えようとすることである。
【課題を解決するための手段】
【０００７】
この課題を解決するため、本願の請求項１に係る発明は、天井に固定される天井側支持材と、床に固定される床側支持材と、天井側支持材と床側支持材との間に立設される支柱と、支柱同士の間に設置されるパネルとを有して構成される間仕切り壁における支柱であって、長手方向断面で２分割された第一部材と第二部材とからなり、これら第一部材と第二部材を相対的に近付ける方向にスライド移動させることにより接合されて支柱が形成され、第一部材と第二部材とが接合されたときに、支柱の上端および下端に、それぞれ前記天井側支持材および前記床側支持材の少なくとも一部を取り囲んで収容する支持材収容部が形成されることを特徴とする。
【０００８】
本願の請求項２に係る発明は、請求項１記載の間仕切り壁用の支柱において、前記第一部材および／または前記第二部材に、縦枠が固定される枠取付部が形成されることを特徴とする。
【０００９】
本願の請求項３に係る発明は、請求項１または２記載の間仕切り壁用の支柱において、前記第一部材および／または前記第二部材の少なくとも一側面に、パネルの端部の一側面に略当接する当接片が一方向に延長形成されることを特徴とする。
【００１０】
本願の請求項４に係る発明は、請求項１または２記載の間仕切り壁用の支柱において、前記第一部材および／または前記第二部材の少なくとも一側面に、パネルの端部を両側から略挟持する挟持片が両方向に延長形成されることを特徴とする。
【００１１】
本願の請求項５に係る発明は、請求項１または２記載の間仕切り壁用の支柱において、前記第一部材の一側面に第一の挟持片が一方向に延長形成されると共に、第一部材の前記一側面に対向する前記第二部材の一側面に第二の挟持片が前記第一の挟持片と同方向に延長形成され、これら第一および第二の挟持片の間にパネルの端部を両側から略挟持されることを特徴とする。
【００１２】
本願の請求項６に係る発明は、請求項１ないし５のいずれか記載の支柱を用いてなる間仕切り壁である。
【００１３】
本願の請求項７に係る発明は、請求項１ないし５のいずれか記載の支柱を用いた間仕切り壁の施工方法であって、天井と床にそれぞれ天井側支持材と床側支持材を取り付け、天井側支持材と床側支持材に対して前記第一の部材および前記第二の部材のいずれか一方の部材をスライド移動させて仮設置し、他方の部材をスライド移動させて前記一方の部材に接合して支柱を形成した後、パネルをスライド移動させて支柱の側面に突き当てることを特徴とする。
【００１４】
本願の請求項８に係る発明は、請求項１ないし５のいずれか記載の支柱を用いた間仕切り壁の施工方法であって、天井と床にそれぞれ天井側支持材と床側支持材を取り付け、天井側支持材と床側支持材に対して前記第一の部材および前記第二の部材のいずれか一方の部材をスライド移動させて仮設置し、パネルをスライド移動させて前記一方の部材に突き当てた後、他方の部材を前記一方の部材に接合して支柱を形成することを特徴とする、間仕切り壁の施工方法。
【００１５】
本願の請求項９に係る発明は、請求項１ないし５のいずれか記載の支柱を用いた間仕切り壁の施工方法であって、一のパネルの両端に位置する２つの支柱の設置箇所においてそれぞれ前記第一部材および前記第二部材のいずれか一方を仮設置し、これら２つの支柱の間にパネルをスライド移動させることにより配置して仮設置した後、各支柱の他方の部材をスライド移動させることにより前記一方の部材に接合して各支柱を形成すると共にパネルをこれら２つの支柱の間に固定することを特徴とする。
【発明の効果】
【００１６】
請求項１に係る本発明によれば、間仕切り壁用の支柱を設置する作業を、女性や初心者でも簡単に行うことができ、しかも、支柱を設置すると同時にパネルを強固に設置することができるので、大工不足や技能低下が懸念される中においても、今後予測される中古住宅市場のリノベーションやリフォームの需要増に対する有効な解決策となり得る。第一および第二の部材を接合して支柱を形成する作業も、支柱間にパネルを設置する作業も、スライド移動させることによって行うことができるので、重い支柱やパネルを持ち上げて所定場所まで運搬する必要がない。
【００１７】
請求項２に係る本発明によれば、支柱に縦枠を取り付ける作業を簡単に行うことができる。
【００１８】
請求項３に係る本発明によれば、パネル端部の一側面を当接片に押し当てるようにしてパネルを設置することができるので、その位置決めおよび設置作業が容易である。
【００１９】
請求項４に係る本発明によれば、パネル端部が両側から挟持片に挟持された状態でパネルを設置することができるので、強固なパネル固定状態が得られる。
【００２０】
請求項５に係る本発明によれば、一方の部材のみを仮設置した状態でパネル端部の一側面を第一の挟持片に押し当てるようにしてパネルを仮設置した後に、他方の部材を接合することにより支柱が形成されると同時に、パネル端部が両側から第一および第二の挟持片の間に挟持された状態でパネルが設置することができるので、その位置決めおよび設置作業が容易であり、且つ、強固なパネル固定状態が得られる。
【００２１】
請求項６に係る本発明によれば、女性や初心者でも簡単に施工することができる間仕切り壁が提供される。第一および第二の部材を接合して支柱を形成する作業も、支柱間にパネルを設置する作業も、水平方向にスライド移動させることによって行うことができるので、重い支柱やパネルを持ち上げて所定場所まで運搬する必要がない。
【００２２】
請求項７〜９に係る本発明によれば、女性や初心者でも簡単に間仕切り壁を施工することができる。第一および第二の部材を接合して支柱を形成する作業も、支柱間にパネルを設置する作業も、水平方向にスライド移動させることによって行うことができるので、重い支柱やパネルを持ち上げて所定場所まで運搬する必要がない。また、間仕切り壁における支柱の設置場所や向きなどの状況に応じて、第一部材、第二部材およびパネルの施工順序を変更して実施することができる。
【図面の簡単な説明】
【００２３】
【図１】本発明の一実施形態による間仕切り壁用の支柱を主部とカバーとに分離した状態で示す断面図（ａ）、および、主部とカバーとを接合一体化してなる支柱を示す断面図（ｂ）である。
【図２】図１の支柱を用いて間仕切り壁の一部を施工する際の施工前の各部材の配置状態ないし位置関係を示す斜視図である。
【図３】図２の状態から施工して得た間仕切り壁の一部を示す斜視図である。
【図４】間仕切り壁における支柱、縦枠およびパネルの配置例を示す平面図である。この図は、各設置場所における支柱の種類および向きと、主部とカバーの位置関係を示すことが主目的であるので、各支柱の具体的形状は図示省略され、カバーが極太線で表されている。
【図５】図４の間仕切り壁に用いられる支柱Ａ〜Ｇの断面形状ないし構成を示す断面図である。この図において、カバーは点線で示されている。
【図６】図４の間仕切り壁のＰ部の施工作業を工程順に断面図で示す説明図（ａ）〜（ｃ）である。
【図７】図６の工程（ｃ）に続いて行われる施工作業を工程順に断面図で示す説明図（ｄ）〜（ｅ）である。
【図８】図６に示す工程において、主部を仮設置する前の状態を示す正面図（ａ）、主部を仮設置した状態を示す正面図（ｂ）、および、パネルを仮設置した状態を示す正面図である。
【図９】図７に示す工程（ｄ），（ｅ）に対応する正面図（ｄ），（ｅ）である。
【図１０】図４の間仕切り壁の特に支柱Ｇに関連する部分を施工する作業の一例を工程順に平面図で示す説明図（ａ）〜（ｃ）である。図４と同様に、この図においても各支柱の具体的形状は図示省略され、カバーが極太線で表されている。
【図１１】図４の間仕切り壁の特に支柱Ｇに関連する部分を施工する作業の一例を工程順に平面図で示す説明図（ａ）〜（ｅ）である。図４と同様に、この図においても各支柱の具体的形状は図示省略され、カバーが極太線で表されている。
【図１２】支柱についての他の形状・構成例を示す断面図（ａ）〜（ｎ）である。この図において、カバーは点線で示されている。
【図１３】支柱についての他の形状・構成例を示す分離状態断面図（ａ）および接合状態断面図（ｂ）である。
【図１４】間仕切り壁の施工作業の別の例を工程順に断面図で示す説明図（ａ）〜（ｄ）である。
【図１５】間仕切り壁の施工作業のさらに別の例を工程順に断面図で示す説明図（ａ）〜（ｄ）である。
【発明を実施するための最良の形態】
【００２４】
本発明について、添付図面を参照しながら、以下に実施例を挙げて詳細に説明する。
【００２５】
図１は、本発明の一実施形態による間仕切り壁用の支柱１０を示す断面図、図２は、この支柱１０を用いて間仕切り壁の一部を施工する際の施工前の各部材の配置状態ないし位置関係を示す斜視図、図３は、図２の状態から施工して得た間仕切り壁の一部を示す斜視図である。
【００２６】
支柱１０は、図１（ａ）の上方に示す断面形状が長手方向（設置状態において高さ方向）に連続するアルミ製の長尺棒材である主部２０と、図１（ａ）の下方に示す断面形状が長手方向（設置状態において高さ方向）に連続するアルミ製の長尺板材であるカバー３０とからなり、これらを図１（ｂ）に示すように接合することにより、支柱１０が形成される。主部２０およびカバー３０の長さは、間仕切り壁が施工される部屋の高さ（天井２と床４との間の間隔）に略等しい。これらの長さは、天井側支持材３および床側支持材５の形状（天井面や床面と支柱の上下端との間に狭まる部分があるなど）に応じて調整され、少なくとも、天井側支持材３および床側支持材５の突起３ａ，５ａを覆い隠すことができる長さとすることが好ましい。
【００２７】
主部２０は、略方形状の断面外形状を有するように形成され、縦枠６に当接する側面２１と、側面２１に直交する側面２２と、側面２１に対向し側面２２に直交する側面２３とを有し、これらの側面２１〜２３はそれぞれ支柱１０の側面１１〜１３となるが、支柱の側面１４となるべき側面は開口していて、中央空間２４に通じる通路２５を有する。側面２１には、縦枠６の裏面から突出する枠固定部材６ａ（図２）を嵌着するための枠取付部２６が長手方向に亘って開口している。また、側面２２の側面２３側の一端は側面２３を超えて突出して挟持片２７を形成している。
【００２８】
カバー３０は、支柱１０の側面１４となる側面３１を有すると共に、主部２０に接合される側に嵌合突条部３２が突出形成されている。嵌合突条部３２が、通路２５から中央空間２４に入り込むことにより、カバー３０が位置決めされ、主部２０とカバー３０とが接合一体化されて支柱１０が形成される（図１（ｂ））。このとき、主部２０の通路２５にカバー３０の嵌合突条部３２が嵌め込まれることによって中央空間２４が閉塞され、天井側支持材３および床側支持材５の各断面方形状の突起３ａ，５ａを緊密に収容するための通路ないし支持材収容部１５を形成する。また、接合状態において主部２０の側面２３側となる側面３１の一端は側面２３を超えて突出して挟持片３３を形成し、挟持片２７との間にパネル７の端部が嵌め込まれるパネル取付部１６を与える。
【００２９】
この支柱１０を用いた間仕切り壁１の施工について図２および図３を参照して説明する。まず、主部２０を、通路２５の開口面を天井側支持材３および床側支持材５に向き合わせた状態にして略垂直に立て、そのままの状態で天井側支持材３および床側支持材５に近付けていって、それらの突起３ａ，５ａを通路２５に嵌め込む。これにより、天井側支持材３および床側支持材５の突起３ａ，５ａの三側面を取り囲むように、主部２０が仮設置される。
【００３０】
次いで、天井側支持材３および床側支持材５の突起３ａ，５ａを挟んで反対側から、カバー３０を、嵌合突条部３２を通路２５に向き合わせた状態にして主部２０に近付けていき、嵌合突条部３２を通路２５に嵌め込んで、主部２０に接合する。通路２５の開口端２５ａは若干外方に拡開されている（図１）ので、嵌合突条部３２を通路２５に押し込んでいくときのガイドになってスムーズな嵌め込み作業が可能であり、且つ、一旦嵌合突条部３２が通路２５に嵌め込まれたときには容易には離脱しない緊密な接合状態が得られる。このようにして、天井側支持材３と床側支持材５との間に、突起３ａ，５ａを四周から挟み込むようにして、支柱１０が設置される。
【００３１】
図１に示す支柱１０は、側面１１（主部２０の側面２１）に縦枠６を当接させ、側面１３にパネル７の幅方向一端を当接させる位置に設けられるものであるため、上記のようにして設置された支柱１０の側面１１に開口する枠取付部２６に縦枠６の枠固定部材６ａを嵌着すると共に、側面１３の両側に突出する挟持片２７，３３間にパネル７の端部を嵌め込んでパネル７を設置するように用いられる。
【００３２】
本発明による支柱は、その設置位置に応じて異なる形状ないし構成を有し、あらかじめ複数の異なる形状ないし構成を有する複数種の支柱が用意されている。たとえば、広い部屋を図４に示すように間仕切る場合、支柱の対向する二側面に縦枠６とパネル７が設置される箇所には図１に示す形状（構成）の支柱１０（図４では「支柱Ａ」）が用いられるが、直交する二側面に縦枠６とパネル７が設置される箇所には支柱Ｂが用いられ、対向する二側面にそれぞれパネル７が設置される箇所には支柱Ｃが用いられ、対向する二側面にそれぞれ縦枠６，６が設置されると共に他の一側面にパネル７が設置される箇所には支柱Ｄが用いられ、直交する二側面にそれぞれパネル７が設置される箇所には支柱Ｅが用いられ、三側面にそれぞれパネル７が設置される箇所には支柱Ｆが用いられ、四側面すべてにパネル７が設置される箇所には支柱Ｇが用いられる。
【００３３】
これら支柱Ａ〜Ｇの断面形状を図５に示す。各図において、主部２０とカバー３０の各形状・構成を分かりやすく示すために、前者は実線で表わされ、後者は点線で表わされている。また、図４ではカバー３０が太線で表されている。
【００３４】
支柱Ａは、図１に示す支柱１０と同じ断面形状を有するので、説明を省略する。
【００３５】
支柱Ｂは、挟持片２７を有しない主部２０の一側面に枠取付部２６を有し、その対向面にカバー３０の嵌合突条部３２を嵌め込む通路２５が開口している。支柱Ｂのカバー３０は支柱Ａのカバー３０と同一形状である。
【００３６】
支柱Ｃは、主部２０の一側面の両端に挟持片２７，２７を有し、その対向面にカバー３０の嵌合突条部３２を嵌め込む通路２５が開口している。支柱Ｃのカバー３０は両端に挟持片３３，３３を有している。なお、図４における支柱Ｃは、図５に示す支柱Ｃを１８０度回転させた状態で使用されている。
【００３７】
支柱Ｄは、挟持片２７を有しない主部２０の一対の対向側面にそれぞれ枠取付部２６，２６を有し、他の一側面にカバー３０の嵌合突条部３２を嵌め込む通路２５が開口している。支柱Ｄのカバー３０は挟持片３３を有しない。なお、図４における支柱Ｄは、図５に示す支柱Ｄを１８０度回転させた状態で使用されている。
【００３８】
支柱Ｅは、主部２０の三側面の各一端に挟持片２７を有しており、残る一側面にカバー３０の嵌合突条部３２を嵌め込む通路２５が開口している。支柱Ｅのカバー３０は支柱Ａのカバー３０と同一形状である。なお、図４の左下に示される支柱Ｅは、図５に示す支柱Ｅを天地反転させた状態で使用されている。
【００３９】
支柱Ｆは、主部２０の一側面の両端およびこれに直交する２側面の一端にそれぞれ挟持片２７を有しており、残る一側面にカバー３０の嵌合突条部３２を嵌め込む通路２５が開口している。支柱Ｆのカバー３０は支柱Ｃのカバー３０と同一形状である。なお、図４の右側に示される支柱Ｆは、図５に示す支柱Ｆを反時計方向に９０度回転させた状態で使用され、図４の左側に示される支柱Ｆは、図５に示す支柱Ｆを時計方向に９０度回転させた状態で使用され、図４の上側に示される支柱Ｆは、図５に示す支柱Ｆを１８０度回転させた状態で使用されている。
【００４０】
支柱Ｇの主部２０は支柱Ｆの主部２０と同一形状であり、支柱Ｇのカバー３０も支柱Ｆのカバー３０と略同一形状であるが、カバー３０の外面側の両端にも外方向に突出する挟持片３３，３３を有する点で異なっている。なお、図４における支柱Ｇは、図５に示す支柱Ｇを１８０度回転させた状態で使用されている。
【００４１】
図４のＰ部には、支柱Ａと支柱Ｅが用いられ、支柱Ａの一側面（支柱１０の側面１１）に開口する枠取付部２６に縦枠６の枠固定部材６ａが嵌合されることによって縦枠６が取り付けられ、支柱Ａ，Ｅ間にパネル７ａが設置される。縦枠６が取り付けられない支柱Ｅは枠取付部２６を有しないので、主部２０の四側面のうちカバー３０との接合面となる面を除く三側面が完全に閉塞されている。また、支柱Ａ，Ｅが図４に示す向きで使用されることにより、パネル７ａの両端部が当接する側面には、その両側に主部２０の挟持片２７とカバー３０の挟持片３３が互いに向き合う方向に突出している。
【００４２】
図４の間仕切り壁を施工するに当たり、支柱Ａ，Ｅと縦枠６およびパネル７ａからなるＰ部を施工する作業工程について、図６〜図９を参照して説明する。まず、図８（ａ）に示すように支柱設置位置においてあらかじめ天井２および床４に固定されている天井側支持材３および床側支持材５の突起３ａ，５ａに、支柱Ａおよび支柱Ｅをそれぞれ仮設置する。この作業は、既述したように、主部２０を略垂直に立て、その開口面を天井側支持材３および床側支持材５に向けた状態にして水平に（図６（ａ）の矢印方向に）スライドさせて、主部２０の中央空間２４の三側面で突起３ａ，５ａの三側面を緊密に取り囲むようにして嵌合させることによって行う（図６（ａ）〜（ｂ），図８（ｂ））。
【００４３】
次に、図６（ｂ）〜（ｃ）および図８（ｃ）に示すように、パネル７ａを支柱Ａ，Ｅ間に仮設置する。支柱Ａ，Ｅの主部２０には図示の位置に挟持片２７が設けられて互いに向き合う方向に突出しているので、パネル７ａを図６（ｂ）の矢印方向にスライド移動させ、その前方となる側端面の両端を支柱Ａ，Ｅの挟持片２７，２７に突き当てた状態とすることにより、図６（ｃ）および図８（ｃ）に示すようにパネル７ａを支柱Ａ，Ｅ間の所定位置に仮設置する。
【００４４】
次に、図６（ｃ）に示すように、天井側支持材３および床側支持材５に対して仮設置した支柱Ａ，Ｅの主部２０，２０の開口面にそれぞれカバー３０，３０を取り付けて一体化することにより支柱Ａ，Ｅを形成する。この作業は、既述したように、カバー３０の嵌合突条部３２を主部２０の通路２５に嵌め込み、側面３１が主部２０の開口端に突き当たるまで図６（ｃ）の矢印方向に前進させて中央空間２４に嵌合収容させることによって行う。
【００４５】
このようにして形成された支柱Ａ，Ｅは、主部２０の三側面２１〜２３およびカバー３０の側面３１で天井側支持材３および床側支持材５の突起３ａ，５ａを緊密に取り囲んだ状態で強固に設置される。また、パネル７ａは、その両端部が、支柱Ａ，Ｅの主部２０の挟持片２７とカバー３０の挟持片３３の間に両側から挟み込まれた状態で、支柱Ａ，Ｅ間に強固に設置される。
【００４６】
次に、図７（ｄ）および図９（ｄ）に示すように、支柱Ａの枠取付部２６に縦枠６の枠固定部材６ａを嵌合させて縦枠６を取り付けることにより、図７（ｅ）および図９（ｅ）に示すような図４の間仕切り壁のＰ部が構築される。
【００４７】
他の箇所に支柱Ａ〜Ｆ、縦枠６およびパネル７を設置する際の作業も概ね上記と同様にして行うことができるが、支柱の設置順やパネルのスライド方向については設置場所によって異なる。たとえば、図４の間仕切り壁を施工するためには、上記のようにしてＰ部を構築した後に、既設の支柱Ｅと次に設置する支柱Ｆとの間にパネル７ｂを設置してＱ部を構築する必要があるが、支柱Ｅの支柱Ｆに対向する面の両側には、主部２０の挟持片２７，２７が支柱Ｆ方向に突出しているので、支柱Ｆの設置箇所にその主部２０を仮設置してしまうと、その後に、パネル７ｂを支柱Ｅ，Ｆ間で（図４において左方向に）スライド移動させることができなくなる。
【００４８】
この場合は、支柱Ｆの主部２０を仮設置する前に、既設の支柱Ｅに対してパネル７ｂを（図４において下方向に）スライド移動させてその一端部を支柱Ｅの挟持片２７，２７間に挟み込むようにして仮設置した後に、支柱Ｆの主部２０を（図４において右方向に）スライド移動させて仮設置し、最後に、天井側支持材３および床側支持材５の突起３ａ，５ａを挟んで反対側から蓋をするようにカバー３０を嵌め込むことにより、支柱Ｆを形成すると共に、パネル７ｂの反対側端部を支柱Ｆの主部２０の挟持片２７とカバー３０の挟持片３３との間に挟持して固定することができる。この場合も、重いパネル７ｂを持ち上げる必要がなく、養生した床４に沿って水平に一方向にスライド移動させて仮設置することができるので、作業が容易である。
【００４９】
次に、既設の支柱Ｆに対してパネル７ｃを（図４において右方向に）スライド移動させてその一端部を支柱Ｆの挟持片２７，２７間に挟み込むように仮設置するが、この段階では、パネル７ｃの反対側の支柱Ｃは設置せず、パネル７ｃの反対側端部をフリーの状態にしておく。この理由については後述するところから明らかにされる。
【００５０】
図４に示す間仕切り壁のレイアウトは、四側面のすべてにパネル７が接合される支柱Ｇが存在するので、各支柱Ａ〜Ｇの設置順序などについて若干の配慮が必要となる。図１０（ａ）〜（ｃ）と共に図１１（ａ）〜（ｅ）を参照して、設置作業順についての一例を説明すると、上記した要領で図１０（ａ）に示すように各支柱Ａ，Ｂ，Ｅ，Ｆおよび縦枠６、パネル７（７ａ〜７ｋ）を設置する。この状態では、支柱Ｆの挟持片２７，２７間に一端が挟持されて仮設置されたパネル７ｃ，７ｊ，７ｋの他端はフリーの状態である。
【００５１】
なお、図４、図１０および図１１では、各支柱Ａ〜Ｇについてカバー３０の位置を分かりやすく示すために、カバー３０は極太線で表されている。また、これらの図では図示省略されているが、各支柱Ａ〜Ｇの設置位置には、あらかじめ天井２および床４にそれぞれ天井側支持材３および床側支持材５が固定され、それらの突起３ａ，５ａが下方および上方に向けて突出している。
【００５２】
この状態から、支柱Ｇを設置し、その三側面にパネル７ｋ，７ｍ，７ｎの他端を接合固定して図１０（ｃ）に示す状態を得るには、次のような作業が必要となる。なお、図４にも示されるように、支柱Ｇの主部２０は支柱Ｆに向き合う面が開口しており、この面にカバー３０が嵌着される。
【００５３】
まず、図１０（ａ）に示すように、支柱Ｇのカバー３０を矢印方向にスライド移動させて、パネル７ｋの他端に嵌め込んだ後、このカバー３０の嵌合突条部３２を通路２５に挿入するようにして主部２０を同方向にスライド移動させることにより、カバー３０に主部２０を接合させて、突起３ａ，５ａを取り囲むように支柱Ｇを形成すると共に、パネル７ｋを支柱Ｆ，Ｇ間に固定する（図１０（ｂ））。
【００５４】
支柱の設置に際して、これまでは天井側支持材３および床側支持材５の枠固定部材３ａ，５ａを主部２０の通路２５を介して中央空間２４に嵌め込むことにより先に主部２０を仮設置し、これにカバー３０の嵌合突条部３２を嵌め込んで一体化するものとして説明してきたが、支柱Ｇの設置に際しては、カバー３０の挟持片３３，３３の間にパネル７ｋの先端を嵌め込んだ状態で側面３１を該パネル先端に押し付けるように矢印方向にスライド移動させることにより、先にカバー３０を仮設置し（図１１（ａ）も参照）、この仮設置されたカバー３０の嵌合突条部３２を主部２０の通路２５に嵌め込むように主部２０を矢印方向にスライド移動させて主部２０と一体化することによって、支柱Ｇを形成する（図１１（ｂ）も参照）。
【００５５】
次いで、このようにして形成した支柱Ｇの他の三側面にそれぞれパネル７ｍ，７ｎ，７ｐを仮設置して、図１０（ｃ）に示す状態を得る。パネル７ｍの仮設置について説明すると、既に仮設置されているパネル７ｃの先端と支柱Ｇの当該側面との間には、（パネル７ｍの長さ）＋（支柱Ｃの幅）に略等しい空間が残されており、支柱Ｃの挟持片２７の突出長は幅より十分に小さい寸法を有するものとして設計されているので、支柱Ｆ，Ｇのパネル７ｃ，７ｍに対する接合面から突出する挟持片２７，３３に干渉することなく、スライド移動によってスムーズに設置することができる。パネル７ｊの仮設置も同様にして行うことができる。パネル７ｐは、その先端を支柱Ｇの当該側面の両端の挟持片２７，２７の間に嵌め込みつつ支柱Ｇに向けてスライドさせる（図１１（ｃ）も参照）ことにより、簡単に設置することができる。
【００５６】
これにより図１０（ｃ）に示す状態が得られるので、次いで、パネル７ｃ，７ｍ間およびパネル７ｊ，７ｐ間（支柱Ｃの幅寸法に略等しい隙間が空いている）に支柱Ｃ，Ｃの主部２０，２０をそれぞれスライドさせ、通路２５に天井側支持材３および床側支持材５の突起３ａ，５ａを嵌め込んで仮設置し、その開口面に蓋をするようにカバー３０，３０を嵌め込んで接合することにより、支柱Ｃ，Ｃが形成されると共に、パネル７ｃ，７ｊが支柱Ｆ，Ｃ間に、パネル７ｍ，７ｎが支柱Ｇ，Ｃ間に、それぞれ固定される。この実施例では、支柱Ｃ，Ｃの主部２０の図４において上側に示される側面が開口し、この開口面にカバー３０が嵌着される構成であるが、これを上下反転させて、図４において下側に主部２０の開口面およびカバー３０が位置するようにしても良い。
【００５７】
図１０（ｃ）の状態から支柱Ｄを設置する作業は、図１０（ａ）を参照して既述した支柱Ｇの設置要領と略同様にして行うことができる。すなわち、図１１（ｄ）〜（ｅ）に示すように、パネル７ｐの先端に支柱Ｄのカバー３０を立て、反対側から主部２０を矢印方向にスライドさせて、通路２５にカバー３０の嵌合突条部３２を嵌め込むと共に、カバー３０の側面および主部２０の閉塞三側面で天井側支持材３および床側支持材５の突起３ａ，５ａを取り囲むようにして、支柱Ｄを形成する。これにより、パネル７ｐが支柱Ｇ，Ｄ間に強固に設置される。そして、支柱Ｄの残る一対の対向側面にそれぞれ既述したようにして縦枠６，６を取り付けて、図４に示す間仕切り壁が得られる。
【００５８】
本発明は、以上に詳細に説明した図示実施形態に限定されることなく、特許請求の範囲に記載された発明の範囲内において様々に変更・変形して実施可能である。図１０および図１１を参照して説明した施工作業順は一例であり、これに限定されない。たとえば、この図示実施例では、支柱Ｄの両側に取り付けられる縦枠６，６を除いた他の縦枠については、図１０（ａ）の時点で既に支柱Ａ，Ｂに取り付けられているものとして示されているが、縦枠６の取付は任意の時点で行うことができるので、図１０（ａ）の時点では縦枠６が取り付けられておらず、最後に、支柱Ｄに縦枠６，６を取り付けると共に、他の縦枠６を支柱Ａまたは支柱Ｂに取り付けるようにしても良い。
【００５９】
支柱の形状ないし構成についても、既述した実施例以外に多種多様な形状ないし構成を有するものであって良い。図１２に例示されるように、縦枠６を取り付けるための枠取付部２６や挟持片２７，３３を有しないもの（図１２（ａ），（ｂ），（ｃ））、枠取付部２６を有するが挟持片２７，３３を有しないもの（図１２（ｄ），（ｅ），（ｆ））、主部の一側面のみに挟持片２７を有するもの（図１２（ｇ），（ｈ））、主部２０の挟持片２７とカバー３０の挟持片３３が支柱としての同一側面に形成されているもの（図１２（ｉ））、主部２０の挟持片２７および／またはカバー３０の挟持片３３でパネル端部を両側から挟み込むようにしたもの（図１２（ｊ），（ｋ），（ｌ），（ｍ），（ｎ））などである。
【００６０】
また、支柱を構成する「主部」と「カバー」の用語は実施例の説明において使用したものにすぎず、必ずしも大きさの大小を意味しない。たとえば、図１２（ｂ），（ｅ），（ｋ），（ｍ）に示すように、支柱を断面で略２等分したものを用いても良く、また、これらを接合するための具体的態様も特に限定されない。また、間仕切り壁に用いる場合の支柱は一般に角柱形状を有するものと考えられるが、その用途やデザイン的要求によっては、他の多角形状や円形、楕円形などの断面外形状を有するものであっても良い。
【００６１】
また、既述実施例では、主部２０の一側面が完全に開口され、ここにカバー３０が接合されることによりカバー３０の側面３１が支柱１０の側面１４を形成するものとして示されているが、主部側面２３は、天井側支持材３および床側支持材５の突起３ａ，５ａを挿入するに十分な幅が開口されていれば良く、図１２（ｃ），（ｆ），（ｉ），（ｌ）に示すように、主部２０の当該側面に比較的小幅に開口が形成され、カバー３０の嵌合突条部３２を主部２０の通路２５に挿入したときに、主部２０の通路２５を挟んで両端側に残される側面部分とカバー３０の側面３１とで支柱１０の側面１４を形成するようにしても良い。
【００６２】
また、既述実施例では、カバー３０に長さ方向に延長する嵌合突条部３２が形成され、この嵌合突条部３２が主部２０の通路２５から中央空間２４に入り込んで嵌合されることにより、主部２０にカバー３０が接合一体化されて支柱１０を形成するものとして示されているが、主部２０にカバー３０を接合するための構成は任意である。たとえば、嵌合突条部３２に代えて、一または複数の突起を長さ方向に間隔をおいて設け、この突起が通路２５から中央空間２４に入り込んで嵌合される構成であっても良い。あるいは、図１３に示すように、主部２０の開口側面の両端から内向きに係止片２８，２８を形成すると共に、カバー３０には先端外面側が突出した形状の係止片３４，３４を形成し、カバー３０の係止片３４，３４を主部２０の係止片２８，２８に近付けていったときにこれらが弾性変形して嵌合される構成を採用しても良い。
【００６３】
また、支柱１０を構成する主部２０（第一部材）、カバー３０（第二部材）およびパネル７の設置順序については、支柱１０の設置場所や向き（特に挟持片２７，３３の有無および突出方向）などの状況に応じて臨機応変に変更可能である。図６〜図９を参照した実施例の説明においては、天井側支持材３および床側支持材５の突起３ａ，５ａを取り囲むように主部２０を仮設置し、その挟持片２７に突き当てるようにしてパネル７（７ａ）をスライド移動させて仮設置した後、反対側からカバー３０を被着して支柱１０を形成する工程順とされている（請求項９に対応）が、図１４に示すように、天井側支持材３および床側支持材５の突起３ａ，５ａを取り囲むように主部２０を仮設置し（図１４（ａ））、反対側からカバー３０を接合して支柱１０を形成し（図１４（ｂ））た後に、挟持片２７，３３の間に側方からパネル７（７ａ）をスライド移動させて仮設置する（図１４（ｃ），（ｄ））工程順としても良い（請求項７に対応）。
【００６４】
また、図６〜図９を参照した実施例の説明においては、パネル７（７ａ）の両端の支柱設置箇所においてそれぞれ主部２０（第一部材）を仮設置し、次いで、パネル７の仮設置およびカバー３０（第二部材）の接合の順に施工している（請求項９に対応）が、図１５に示すように、パネル７の一端の支柱設置箇所のみにおいて主部２０を仮設置し（図１５（ａ））、パネル７の仮設置（図１５（ｂ））およびカバー２０の接合（図１５（ｃ），（ｄ））の順に施工した（請求項８に対応）後に、他端の支柱設置箇所に支柱１０を設置するようにしても良い。
【００６５】
また、支柱１０の設置に際しては、天井側支持材３および床側支持材５の突起３ａ，５ａを取り囲むように主部２０を仮設置した後、それに引き続いて（図１５の場合）またはパネル仮設置後に（図６〜図９および図１４の場合）、カバー３０を設置して支柱１０を形成するものとして説明したが、主部２０とカバー３０の設置順は逆であっても良い。すなわち、図１０および図１１を参照して支柱Ｇおよび支柱Ｄの設置について既述したように、先にカバー３０を仮設置した後に、主部２０を接合するようにしても良い。この場合は、必要に応じて、カバー３０を天井側支持材３および床側支持材５の突起３ａ，５ａの側面に両面テープなどを用いて仮設置する。
【符号の説明】
【００６６】
１  間仕切り壁
２  天井
３  天井側支持材
３ａ  突起
４  床
５  床側支持材
５ａ  突起
６  縦枠
６ａ  枠固定部材
７（７ａ〜７ｐ）  パネル
１０  支柱
１１〜１４  側面
１５  支持材収容部
１６  パネル取付部
２０  主部（第一部材）
２１〜２３  側面
２４  中央空間
２５  通路
２６  枠取付部
２７  挟持片（当接片）
２８  係止片
３０  カバー（第二部材）
３１  側面
３２  嵌合突条部
３３  挟持片（当接片）
３４  係止片
Ａ〜Ｇ  支柱
【図１】
2020101018.tif 000003
【図２】
2020101018.tif 000004
【図３】
2020101018.tif 000005
【図４】
2020101018.tif 000006
【図５】
2020101018.tif 000007
【図６】
2020101018.tif 000008
【図７】
2020101018.tif 000009
【図８】
2020101018.tif 000010
【図９】
2020101018.tif 000011
【図１０】
2020101018.tif 000012
【図１１】
2020101018.tif 000013
【図１２】
2020101018.tif 000014
【図１３】
2020101018.tif 000015
【図１４】
2020101018.tif 000016
【図１５】
2020101018.tif 000017